(57)【特許請求の範囲】
【請求項１】
破砕アームで被破砕物を挟圧破砕する破砕機であって、破砕アームに、個別に交換可能な複数個の円形カッタエレメントからなるカッタを設け、円形カッタエレメントには、その周縁と同心の円上に取付孔が所定間隔で複数個配設されていることを特徴とする破砕機。
【請求項２】
円形カッタエレメントが表裏２面の切断刃面を有することを特徴とする請求項１記載の破砕機。
【発明の詳細な説明】
【０００１】
【発明の属する技術分野】
本発明は、油圧式パワーショベル等の建設車両に装着し、構築物の解体工事等において、鉄筋コンクリート等の構築物の圧砕、切断、解体を行う破砕機に関する。
【０００２】
【従来の技術】
コンクリート構築物等を破砕する破砕機には、被破砕物を挟圧破砕するための一対の破砕アームの中間部を、それぞれメインフレームで回動可能に支持し、一対の破砕アームの後端部間に破砕アーム作動用の油圧シリンダを取付けたものや、図４に示すように、一個の破砕アーム３をメインフレーム２で回動可能に支持し、破砕アーム３とメインフレーム２と間に破砕アーム作動用の油圧シリンダ５を取付け、破砕アーム３と対向するメインフレーム２の先端側を他方の破砕アーム２３としたものがある。
【０００３】
この破砕機はメインフレーム２の基端部に建設車両への取付ブラケット１を備えており、これを建設車両のブームに装着し、建設車両の油圧システムから、破砕アーム作動用の油圧シリンダ５に作動管路を接続して圧油を供給し、油圧シリンダ５を伸縮させて破砕アーム３を回動させ被破砕物１０を挟圧切断破砕するように構成されている。破砕アーム３、２３の互いに対向する切断部には、交換可能な一枚板のカッタ１１がそれぞれ取付けられている。
【０００４】
このような破砕機では、大きく開口した状態での切断作業時に、被破砕物１０の逃げを生じ効果的に破砕できないことがある。そこで、被破砕物１０の逃げを防止するため、被破砕物１０をカッタ１１に噛込み易くするよう、一枚板のカッタ１１の切断刃面１１Ｃに凹凸を付けたものが使用されていた。
【０００５】
【発明が解決しようとする課題】
カッタ１１は、全体が均一に使用されるわけではなく、被破砕物に切り込み始める部分の磨耗が激しく、他の部分の磨耗は比較的少ない。しかし、一枚板のカッタでは局部的な磨耗を生じただけで全体を交換しなければならず、不経済である。また、カッタ１１が一枚板で形成されているので、重量が大で交換作業が大変である。そのうえ、カッタ１１の切断刃面１１Ｃに凹凸を付けると、カッタ１１の形状が複雑になるので製作コストが高くなるという問題があった。
【０００６】
この発明は、破砕機におけるかかる問題を解決するものであって、カッタの全体的な交換頻度を少なくでき、カッタの交換作業が容易であり、また、カッタの部材の形状が簡単で製作コストが低廉であって、被破砕物が逃げにくいようにカッタの切断刃面に凹凸を形成できる、経済的な破砕機を提供することを目的とする。
【０００７】
【課題を解決するための手段】
この発明は、破砕アームで被破砕物を挟圧破砕する破砕機において、一方の破砕アーム、または双方の破砕アームに、個別に交換可能な複数個の円形カッタエレメントからなるカッタを設け、円形カッタエレメントには、その周縁と同心の円上に取付孔が所定間隔で複数個配設している。
【０００８】
カッタが複数個の円形カッタエレメントで構成されているので、局部的な磨耗を生じた場合、磨耗した部分の円形カッタエレメントだけ交換すれば、良好な切れ味を保つことができ全体的な交換を少なくできる。円形カッタエレメントは小型軽量なので交換作業も容易である。
【０００９】
また、カッタが複数個の円形カッタエレメントで構成されているので、切断刃面に被破砕物が逃げにくいように凹凸を形成できる。ここで個々の円形カッタエレメントは簡単な形状であるので、製作が容易で製作コストは低廉である。
【００１０】
円形カッタエレメントは、その周縁と同心の円上に取付孔を所定間隔で複数個配設しているから、取付孔をずらして付換えれば、その周縁を何度も切断刃面として利用することができ、交換頻度をさらに少なくすることができる。
【００１１】
円形カッタエレメントには、表裏２面の切断刃面を設けると、円形カッタエレメントが磨耗したとき裏返して再使用することができる。
【００１２】
【発明の実施の形態】
図１は本発明の実施の一形態を示す破砕機の破砕アーム開口状態の正面図、図２は破砕機の破砕アーム半開状態の正面図、図３は破砕機の破砕アーム閉状態の正面図である。
【００１３】
ここで、破砕アーム３がメインフレーム２にピン４で回動可能に支持されており、メインフレーム２と破砕アーム３との間に、破砕アーム作動用の油圧シリンダ５がピン６とピン７とで取付けられている。破砕アーム３と対向するメインフレーム２の先端側は他方の破砕アーム２３となっている。
【００１４】
この破砕機はメインフレーム２の基端部に建設車両への取付ブラケット１を備えており、これを建設車両のブームに装着し、建設車両の油圧システムから、破砕アーム作動用の油圧シリンダ５に作動管路を接続して圧油を供給し、油圧シリンダ５を伸縮させて破砕アーム３を回動させ被破砕物１０を挟圧切断破砕するように構成されている。取付ブラケット１は旋回部９を備えており、メインフレーム２を旋回させることができる。
【００１５】
破砕アーム３、２３の互いに対向する切断部には、４個の円形カッタエレメント１２からなるカッタ８がそれぞれ取付けられている。各円形カッタエレメント１２には、取付孔１３が設けられており、破砕アーム３、２３にボルト等によって個別に着脱交換可能である。
【００１６】
円形カッタエレメント１２の取付孔１３は４個で、円形カッタエレメント１２の周縁と同心の円上にそれぞれ等間隔に配設されており、その取付孔１３の位置をずらして付換えれば、その周縁を４度切断刃面として利用することができる。この取付孔１３の個数は、４個に限定されるものではなく、必要に応じ２個、３個、６個等適宜選択できる。
円形カッタエレメント１２には、表裏２面の切断刃面が設けられ、円形カッタエレメントが磨耗したとき裏返して再使用することができる。
【００１７】
破砕作業を行う際、図１の開口状態からオペレータが建設車両の油圧システムの制御弁を切換えると、圧油が油圧シリンダ５に供給され、油圧シリンダ５が伸長を開始する。破砕アーム３はピン４を中心として反時計方向へ回動して、図２に示すように、破砕アーム３、２３のカッタ８が被破砕物１０を噛込み、油圧シリンダ５が更に伸長するとカッタ８が図３のように接して閉じた状態となり、被破砕物１０が挟圧切断破砕される。破砕後は油圧シリンダ５を短縮して図１の開口状態に戻す。
【００１８】
この破砕機では、カッタ８が円形カッタエレメント１２で構成され、カッタ８の切断刃面８Ｃには円弧山形が連続しており、アーム３、２３の開口幅の大小にかかわらず被破砕物１０が逃げにくいような接点が得られる凹凸が形成されているので、カッタ８は被破砕物１０を噛込み易く、効果的に破砕できる。
【００１９】
また、被破砕物１０が鉄筋のような細長いものであり、これをを束ねて切断するような場合には、円形カッタエレメント１２の円弧山形部が被破砕物１０を分散して切断を容易にする。
【００２０】
ここで、個々の円形カッタエレメント１２は、円形という簡単な形状であるので、製作が容易で製作コストは低廉である。
カッタ８は被破砕物１０に切り込み始める部分の円形カッタエレメント１２の磨耗が激しく、他の部分の磨耗は比較的少ない。カッタ８は、このような局部的な磨耗を生じた場合、まず磨耗した円形カッタエレメント１２の取付孔１３をずらし、他の取付孔１３孔を破砕アーム３の取付位置に合わせて固定する。このように付換えることで、円形カッタエレメント１２の周縁の磨耗されていない部分が新たに切断刃面８Ｃとして使用される。
【００２１】
これを繰り返して円形カッタエレメント１２の全周縁が磨耗したら、円形カッタエレメント１２の表裏を反転して使用する。表裏の周縁が全て磨耗したら、円形カッタエレメント１２を交換する。
【００２２】
他の部分の円形カッタエレメント１２の磨耗があれば、必要に応じてその円形カッタエレメント１２の付換、反転取付けや交換を行う。
このようにして、カッタ８は、交換頻度を少なくして常に良好な切れ味を保つことができる。円形カッタエレメント１２は小型軽量なので交換作業も容易である。
【００２３】
【発明の効果】
以上説明したように、本発明の破砕機は、カッタに局部的な磨耗を生じた場合、磨耗した部分のカッタエレメントだけ交換すれば、良好な切れ味を保つことができ、カッタの全体的な交換頻度を少なくして消耗部品のコストを低減できる。円形カッタエレメントは小型軽量なので交換作業も容易である。
【００２４】
また、カッタが複数個の円形カッタエレメントで構成されているので、切断刃面に被破砕物が逃げにくいように凹凸を形成できる。ここで個々の円形カッタエレメントは簡単な形状であるので、製作が容易で製作コストは低廉である。
【００２５】
円形カッタエレメントは、その周縁と同心の円上に取付孔を所定間隔で複数個配設しているから、取付孔をずらして付換えれば、その周縁を何度も切断刃面として利用することができ、交換頻度をさらに少なくすることができる。
【図面の簡単な説明】
【図１】本発明の実施の一形態を示す破砕機の破砕アーム開口状態の正面図である。
【図２】破砕機の破砕アーム半開状態の正面図である。
【図３】破砕機の破砕アーム閉状態の正面図である。
【図４】従来の破砕機の正面図である。
【符号の説明】
１      取付ブラケット
２      メインフレーム
３      破砕アーム
４      ピン
５      油圧シリンダ
６      ピン
７      ピン
８      カッタ
９      旋回部
１０    被破砕物
１２    円形カッタエレメント
１３    取付孔
２３    破砕アーム
【図１】
0003801706.tif 000002
【図２】
0003801706.tif 000003
【図３】
0003801706.tif 000004
【図４】
0003801706.tif 000005